(57)【特許請求の範囲】
【請求項１】
ガスの供給・遮断を行うガス供給遮断手段と、少なくとも前記ガスを使用する設備機器と、前記ガス供給遮断手段の制御機能を備え、前記設備機器を含め少なくとも１つ以上の設備機器を制御する設備機器リモコンと、前記設備機器リモコンに備え制御する設備機器の状態を表示する状態表示手段と、この設備機器リモコンと通信を行うと共にガスの供給状態及び使用状態の異常を監視するセンサ機器とを備えた設備機器リモコンシステムであって、
前記センサ機器がガスの供給状態の異常を検知し、前記設備機器リモコンと通信し前記ガス供給遮断手段の遮断制御を行う場合、先ず遮断されるガスを使用している設備機器の運転を停止した後、前記設備機器リモコンは前記ガス供給遮断手段の遮断に要する遮断時間を演算予測し、前記状態表示手段に前記遮断時間をカウントダウン表示してから前記エネルギー供給遮断手段の遮断制御を行う設備機器リモコンシステム。
【請求項２】
前記ガス供給遮断手段が遮断制御を行っている時、前記設備機器リモコンからの制御入力を制限する請求項１に記載の設備機器リモコンシステム。
【発明の詳細な説明】
【０００１】
【発明の属する技術分野】
本発明は設備機器リモコンを利用したネットワークシステムに関するものである。
【０００２】
【従来の技術】
図２は先に出願された設備機器リモコンを利用したネットワークシステムのシステム構成図であり、これは特開平１０―２８２９６号公報に示されている。
【０００３】
図２において、４１はガス使用量の検針及びガスメータを管理する管理センター、４２は電話回線である公衆回線、４３は回線制御装置である端末網制御装置、４４は端末網制御装置に接続され無線通信を行う無線装置Ａ、４５はガス使用量を計測するガスメータ、４６はガスメータに接続された無線装置Ｂ、４７はガス給湯機、４８がガス給湯機に接続され無線によって制御信号を送受信するガス給湯機無線コントローラ、４９は給湯機を無線によって遠隔で制御するための給湯機リモコン、５０はアンテナ、５１無線信号の送受信を行う無線通信部、５２は給湯機の運転状態を表示する表示部、５３はガス給湯機の制御信号を送受信及び演算処理する制御部、５４はガスメータのガス遮断弁開閉操作の制御を行うメータ装置操作部、５５はガスの供給の異常を監視するガス漏れ警報器、５６はガス漏れ警報器５５を接続する為に設けた外部Ｉ／Ｆ部である。
【０００４】
管理センター４１、公衆回線４２、端末網制御装置４３、無線装置Ａ４４、無線装置Ｂ４６及びガスメータ４５は無線を利用したガス使用量の自動検針システムを構成している。ガス自動検針システムを説明すると、ガス供給を管理している管理センター４１がユーザー宅のガス使用量を検針する場合、検針要求信号を公衆回線４２を介して送信し、ユーザー宅の端末網制御装置４３に伝送する。そして端末網制御装置４３は前記信号を無線装置Ａ４４に送信し、無線によってガスメータに接続された無線装置Ｂ４６と通信し、接続されたガスメータに前記信号を伝送する。そしてガスメータ４５は計測したガス使用量を無線装置Ｂ４６、無線装置Ａ４４、端末網制御装置４３及び電話回線４２を介して管理センター４１へ返信するシステムである。
【０００５】
またガス給湯機４７、ガス給湯機無線コントローラ４８及び給湯機リモコンは無線によって給湯機制御を行う無線システムを構成している。ユーザーがガス給湯機４７の制御を行う時、給湯機リモコン４９に備えられた給湯機制御命令を与えるキーを操作する。そして入力された制御命令を無線通信部５１により無線信号に変換し電波として放射する。そしてガス給湯機無線コントローラ４８により受信され、前記信号を復調し、ガス給湯機４７を制御する構成である。
【０００６】
メータ装置操作部５４の動作について説明すると、ガス漏れが発生し、ガスメータ４５のガス遮断弁が遮断された後、ユーザーによってガス供給を復帰させる場合において、ユーザーは給湯機リモコン４９のメータ装置操作部５４を操作し、弁開放操作を行うと制御部５３に弁開放信号が入力され、制御部５３によってガス遮断弁の弁開放信号を無線通信部５１に送信しアンテナ５０を介し電波が放射され、無線装置Ｂ４６により前記信号を受信しガスメータ４５に送信する。そして前記弁開放信号を受信したガスメータはガス遮断弁を開放制御する。
【０００７】
またガス漏れ時は、ガス漏れ警報器５５がガス漏れを検知すると、ガス漏れ検知信号が外部Ｉ／Ｆ部５６を介して給湯機リモコン４９に送信され、給湯機リモコン４９の制御部５３よりガスメータの遮断制御信号を送信する。そして無線を介して無線装置Ａ４４で受信し、端末網制御装置４３より無線装置Ａ４４及び無線装置Ｂ４６を介してガスメータ４５へ遮断弁制御信号を送信し、遮断制御する。またガス漏れ通報信号を給湯機リモコン４９により無線によって無線装置Ａ４４へ送信し、端末網制御装置４３及び公衆回線４２を介して管理センター４１へ送信し、ユーザー宅においてガス漏れが発生したことを通報する。
【０００８】
【発明が解決しようとする課題】
しかしながら上記従来の構成の設備機器リモコンシステムは、ガス漏れ警報器５５などのセンサ機器の異常検知により、ガスメータ４５の遮断弁の遮断制御を行うが、システム上のガス給湯機４７の運転状態を考慮しておらず、ガス給湯機４７の運転中にガスメータの遮断弁の遮断制御をいきなり行ってガス供給を停止することにより、給湯機４７がガスを停止されエラー動作になり、ガス供給が再開された時、一度給湯機４７をリセット動作させる必要があるという問題があり、ユーザーにとっては煩わしい。
【０００９】
また遮断弁の遮断処理時には、ガス漏れ警報器５５がガス漏れなどの異常を検知後、数十秒後にガスメータ４５を遮断するが、ユーザーにはガス漏れ警報器５５との連動遮断がどのようにガス漏れに対処するかわからない。またガスメータ４５を遮断するか遮断しないのか、または遮断するまでの時間はユーザーには分からない為、サービス性が悪い。
【００１０】
また、ガス漏れ警報器５５により異常が検知され、遮断弁の遮断が行われた場合、遮断中にガス給湯機４７のキー入力操作を行うと、前記処理に割り込みが入り、迅速確実に遮断が行われない場合が発生する。
【００１１】
【課題を解決するための手段】
本発明は上記課題を解決するために、ガスの供給・遮断を行うガス供給遮断手段と、少なくとも前記ガスを使用する設備機器と、前記ガス供給遮断手段の制御機能を備え、前記設備機器を含め少なくとも１つ以上の設備機器を制御する設備機器リモコンと、前記設備機器リモコンに備え制御する設備機器の状態を表示する状態表示手段と、この設備機器リモコンと通信を行うと共にガスの供給状態及び使用状態の異常を監視するセンサ機器とを備えた設備機器リモコンシステムであって、前記センサ機器がガスの供給状態の異常を検知し、前記設備機器リモコンと通信し前記ガス供給遮断手段の遮断制御を行う場合、先ず遮断されるガスを使用している設備機器の運転を停止した後、前記設備機器リモコンは前記ガス供給遮断手段の遮断に要する遮断時間を演算予測し、前記状態表示手段に前記遮断時間をカウントダウン表示してから前記エネルギー供給遮断手段の遮断制御を行う設備機器リモコンシステムとして、ガス供給が急に停止されることによって給湯機がエラー動作になり一度リセットしないと動作しない状態を防ぐとともに、ユーザーの利便性とエネルギー供給の安全性の向上を実現させるものである。
【００１２】
【発明の実施の形態】
ガスの供給・遮断を行うガス供給遮断手段と、少なくとも前記ガスを使用する設備機器と、前記ガス供給遮断手段の制御機能を備え、前記設備機器を含め少なくとも１つ以上の設備機器を制御する設備機器リモコンと、前記設備機器リモコンに備え制御する設備機器の状態を表示する状態表示手段と、この設備機器リモコンと通信を行うと共にガスの供給状態及び使用状態の異常を監視するセンサ機器とを備えた設備機器リモコンシステムであって、前記センサ機器がガスの供給状態の異常を検知し、前記設備機器リモコンと通信し前記ガス供給遮断手段の遮断制御を行う場合、先ず遮断されるガスを使用している設備機器の運転を停止した後、前記設備機器リモコンは前記ガス供給遮断手段の遮断に要する遮断時間を演算予測し、前記状態表示手段に前記遮断時間をカウントダウン表示してから前記エネルギー供給遮断手段の遮断制御を行うように構成したものである。そして設備機器の運転中に、センサ機器の異常検知信号によりエネルギー供給遮断手段の遮断処理が行われた場合でも、急にエネルギー媒体の供給を停止することによって設備機器がエラー動作になることを防ぎ、一度リセットする煩わしい操作をなくすようにできる。
【００１３】
また、前記ガス供給遮断手段が遮断制御を行っている時、前記設備機器リモコンからの制御入力を制限するようにしている。そしてセンサ機器からの信号で設備機器リモコンがエネルギー供給遮断手段の遮断を行っている途中で、設備機器などの制御操作を行うキー入力を制限し、前記処理に割り込みが入ることを防ぎ、遮断が確実に行われるようにする。
【００１４】
【実施例】
（実施例１）
本発明の設備機器リモコンシステムの実施例１を図１を用いて説明する。図１において、１はガスを燃焼媒体（エネルギー媒体）とした設備機器である給湯機、２は給湯機１に接続され無線信号を送受信するための無線送受信手段、３は無線送受信手段２と無線通信し給湯機１の制御を行う為の無線を用いた給湯機リモコン、４は給湯機リモコン３に内蔵された無線送受信手段、５はマイクロコンピュータで構成され制御信号を送受信する制御手段、６は給湯機の運転動作を停止するために設けられた給湯機動作停止手段、７は給湯機が現在動作しているかどうかを判定する給湯機運転判定手段、８はガスの流量を計測しユーザーのガス使用量積算する流量計測装置（ガスメータ）、９は流量計測装置（ガスメータ）に内蔵されマイクロコンピュータで構成された制御手段である。
【００１５】
また１０はガスの流路の遮断及び開放を行うエネルギー供給遮断手段である遮断弁、１１は遮断弁１０を制御信号により遮断・開放を行う弁遮断／復帰手段、１２は流量計測装置８に接続され、給湯機リモコン３と無線通信を行う為に備えた無線通信手段、１３ユーザーが給湯機の操作を行う時に給湯機制御信号を送出する為の給湯機操作手段、１４は遮断弁の遮断または復帰操作が行われた場合に、遮断または復帰時間に要する時間を演算しカウントダウンするための弁遮断・復帰時間カウントダウン手段、１５は給湯機１の動作状態、流量計測装置８の遮断弁１０の開閉状態などを表示する状態表示手段、１６はユーザー宅に設置されている流量計測装置（ガスメータ）の管理を行うガス供給業者の管理センターである。
【００１６】
また１７は電話回線である回線網、１８は回線網１７に接続されユーザー宅と管理センターを回線網１７を介して接続している回線制御端末である回線網アクセス手段、１９は回線網アクセス手段１８に接続され無線によって給湯機リモコン及び流量計測装置８（ガスメータ）と通信を行う無線送受信手段、２０は遮断弁の遮断処理及び復帰処理が行われているかどうかを判定する遮断・復帰処理判定手段、２１は給湯機の制御キーなどの給湯機リモコン３に設けられた操作手段の入力を制限するキー入力制限手段、２２はガスの流路であるガス配管、２３はガス漏れを監視するために設置されているセンサ機器であるガス漏れ警報器、２４はガス漏れ警報器に接続されガス漏れ警報信号などを無線で送信するために設けられた無線送受信手段である。
【００１７】
次に動作、作用について説明する。ガス漏れ警報器２３がユーザー宅のガス漏れを検知した場合、ガス漏れ警報器２３はガス漏れ検知信号を無線送受信手段２４を介して無線によって給湯機リモコン３に通信する。そして前記信号を受信した給湯機リモコン３は無線送受信手段４を介し、制御手段５において給湯機１が動作しているかを判断し、給湯機１が動作している場合、給湯機動作停止手段６によって制御信号を無線送受信手段４を介して無線によって、給湯機１に接続された無線送受信手段２に送信され、前記信号を受信した給湯機１は動作を停止する。そして動作を停止させた後、給湯機リモコン３は無線によって、流量計測装置（ガスメータ）８の遮断弁１０遮断制御信号を送信し、無線送受信手段１２によって受信される。そして流量計測装置（ガスメータ）８の制御手段９を介して弁遮断／復帰手段１１を動作させ遮断弁１０の遮断制御を行う。
【００１８】
このように構成することで、給湯機１の運転中にガス漏れ警報器２３がガス漏れを検知し、それに連動して流量計測装置（ガスメータ）８の遮断弁１０の遮断制御を行う場合においても、いきなりガス供給を停止することでガス給湯機１がエラー動作になり、一度リセットを必要とする状態になることを防ぐことができる。よってガス給湯機１動作にエラーを招くことなく、確実に遮断処理が行えるようになる。
【００１９】
またガス漏れ警報器２３が検知した異常状態を解除し、流量計測装置（ガスメータ）８の遮断弁１０の復帰処理を行う場合について説明する。遮断弁１０が遮断されており、ガス漏れ警報器２３が検知したガス漏れ状態が解除されガス供給の復帰を行う場合、ガス漏れ警報器２３よりガス漏れ解除信号が送信され無線通信手段２４に送信される。そして無線によって給湯機リモコン３の無線送受信部４で受信され、制御手段５の給湯機運転判定手段７によって現在の給湯機１において、運転ＯＮ／ＯＦＦがＯＦＦになっていることを確認する。そして前記確認ができた後、給湯機リモコン３はガスメータ８の遮断弁１０の復帰処理を行うように、無線によって遮断弁復帰処理信号を送信し、無線送受信手段１２によって受信され制御手段９及び弁遮断／復帰手段１１によりガス配管２２に接続されている遮断弁１０を復帰処理し、給湯機１にガス供給を行えるようにする。
【００２０】
このように構成することで、ガス漏れ警報器２３が検知したガス漏れ状態が解除され、ガス供給を遮断する流量計測装置（ガスメータ）８の遮断弁１０の復帰制御を行う場合、前記ガスを使用する給湯機などの設備機器の運転がＯＦＦ制御されていることを確認した後、遮断弁１０の復帰制御を行うように構成している。そして給湯機１などの設備機器が運転されていないことを確認した後、遮断弁復帰制御が行われるので、ガス漏れ警報器２３がガス漏れ状態を解除した時、ユーザーの手動復帰などによることなく、安全にガス供給を再開でき、再度ガス漏れが発生することなく安全に復帰できるようになる。またガス機器がエラー動作を起こす問題も防ぐことができる。
【００２１】
ガス漏れ警報器２３がガス漏れなどの異常状態を検知し遮断弁１０を遮断する場合またはガス漏れ状態を解除し遮断弁１０を復帰する場合について説明する。ガス漏れ警報器２３がガス漏れなどの異常状態を検知した時、ガス漏れ警報器２３より無線送受信手段２４を介してガス漏れ信号を送信する。そして前記送信された信号は、給湯機リモコン３の無線送受信手段４によって受信され制御手段５で判断し、弁遮断を行うように弁遮断制御信号が送信される。そして無線送受信手段４を介し無線によって流量計測装置（ガスメータ）８の制御手段９及び弁遮断／復帰手段１１によって遮断弁１０の遮断処理を行う。その時、前記処理に要する時間を弁遮断・復帰時間カウントダウン手段１４により演算予測し、状態表示手段１５にカウントダウン表示を行う。またガス漏れ警報器２３がガス漏れ状態を解除し、遮断弁１０を復帰処理する場合においても前記説明と同様に処理され、状態表示手段１７に遮断処理に要する予測時間をカウントダウン表示する。
【００２２】
このように構成することによって、ガス漏れ警報器２３などセンサ機器の連動制御によってガス供給の遮断復帰を行う場合においても、ユーザーは遮断弁の遮断または復帰にかかる時間にいらいらすることなくどのくらいの時間で遮断・復帰処理されるかが一目で分かるようになり、また容易に遮断弁１０の遮断又は復帰（開放）の状態を確認することができるようになる。よってユーザーにおける使用感が良好になり、確実に遮断・復帰処理が行われたことを確認できる。
【００２３】
また上記のように遮断弁１０の遮断及び復帰処理が行われている場合において、給湯機リモコン３は制御手段５の遮断・復帰処理判定手段２０において現在前記処理が行われているかどうかを判定し、前記処理が行われていると判定した場合はキ―入力制限手段２１によって、給湯機１の制御操作を行う給湯機操作手段１３などのキー入力（制御信号入力）を無効にし前記制御を行わない。そして弁遮断または復帰処理が完了した場合は、遮断・復帰処理判定手段２３によりキー入力制限手段２１をＯＦＦ（解除）し制御信号の入力を受け付けるようにする。
【００２４】
このように構成することによって無線給湯機リモコン３による遮断弁９の遮断処理が行われている途中において、給湯機１の操作を不能にし、遮断処理に割り込みが入ることを防ぎ、遮断処理が確実に行われるようにしている。また復帰処理についても同様に、復帰処理中にガス給湯機１の制御の割り込みが入ることをなくし前記処理の不具合をなくすことができる。
【００２５】
またガス漏れ警報器２３がガス漏れなど異常状態を検知した場合、ガス漏れ警報器２３が音によってユーザーに報知する。またユーザーに現在起こっている状態を知らせる為、ガス漏れ警報器２３はガス漏れ警報信号を無線通信手段２４を介して無線によって給湯機リモコン３と通信し、前記警報信号を伝送する。ガス漏れ警報信号は無線送受信手段４を介して制御手段５に伝送され、ガス漏れが起こったことを判断し、給湯機リモコン３の状態表示手段１５にガス漏れが起こったことを表示する。
【００２６】
また同時に給湯機リモコン３の制御手段５はユーザー宅でガス漏れが発生したことを管理センター１６に通報する為、無線送受信手段４を介してユーザーの情報とガス漏れが起こったことを示す信号又はガス給湯機１の状態などを示す信号を送信する。そして送信された電波は無線送受信手段１９で受信され回線網アクセス手段１８によって回線網１７に接続され、回線網１７を介して管理センター１６に前記信号が伝送される。そしてガス漏れが発生したことを管理センター１６で確認した後、管理センター１６側においてその状況に応じて適切な対処を行う。また管理センター１６はその状況に応じてユーザー宅に、管理センター１６などの状況を確認できる連絡先を送信し、回線網１７、回線網アクセス手段１８及び無線送受信手段１９を介して給湯機リモコン３に伝送する。前記情報（連絡先）を受信した給湯機リモコン３は制御手段５により判断し、状態表示手段１５に状況を確認したり問い合わせたりできる連絡先を表示する。また同様の送信手順により、ユーザー宅で起こったガス漏れに対処する方法又は手順を給湯機リモコン３の状態表示手段１５に表示するようにしている。
【００２７】
このように構成することでガス漏れ警報器２３などのセンサ機器がエネルギー供給状態または使用状態の異常を検知した時、設備機器リモコンの状態表示手段１５に前記異常状態を表示しユーザーに報知することで、エネルギー供給の安全性が向上し、サービス性の向上が図れる。また管理センター１６へ通報報知することで、ユーザー宅内のエネルギー供給の異常状態を管理することができるので、より安全性が向上しサービス性も向上する。なお、給湯機リモコン３にユーザーの判断により通報を取り止める制御手段を設け、状況に応じて管理センター１６に通報しないように構成することもできる。そして管理センター１６を運営するサービス会社はより多様なサービスを行えるようになる。
【００２８】
設備機器リモコンの状態表示手段１５に管理センター１６の連絡先を表示するように構成することで、管理センター１６の連絡先を表示することで、ガスなどのエネルギー媒体の供給業者への問い合わせを簡単にし、ユーザーに対するサービス性を向上させる。
【００２９】
また給湯機リモコン３の状態表示手段１５に、ガス漏れなどの異常状態に対処する手順を表示するように構成している。そしてユーザー自ら異常状態に対処する手順を表示することで、ユーザーは前記異常に対する対処に迷うことなく簡単に処理することができるようになる。またエネルギー供給業者としてもサービス性の向上が図れる。
【００３０】
また本実施例はエネルギー媒体としてガスを利用し、エネルギー供給遮断手段を流量計測装置８（ガスメータ）に備えられた遮断弁１０、設備機器をガス給湯機１、設備機器リモコンを前記給湯機リモコン３で構成している。そしてエネルギー媒体として危険性が高く、最も普及している給湯機１で構成することで、ガス供給の安全性を向上させ、給湯機リモコン３と共用化することで導入費用なども安価に出来るため、ユーザーにとってもサービス業者としても導入し易くなる。また使用頻度が大きい給湯機１において、エラー動作になる処理をなくす為、ユーザーの利便性を損なわない。
【００３１】
なお、本実施例において、設備機器リモコンについては給湯機リモコン３を用いて説明しているが、電気温水器や石油給湯機などの他の設備機器リモコンでも同様に構成できまた同様の効果がある。また給湯機リモコン３は給湯機だけでなく、他のガス機器例えばガステーブル、ガスファンヒーター、ガス乾燥機、ガス炊飯器などを通信制御する機能を有する構成にも可能であり、そのようにすることで他のガス機器の運転状態などを確認したり、表示したりできるようになる。
【００３２】
また、センサ機器にはガス漏れ警報器２３を用いているが火災報知機、侵入検知センサなど他のセンサ機器、または設備機器及び家電機器などユーザー宅にある機器に内蔵されたセンサ部でもよく、前記センサから発せられた信号を管理センター１６へ送信するようにすることで、ユーザー宅の安全や機器の異常を管理できるようになる。また接続するセンサ機器によって、管理センター１６は異なっても構わない。例えば侵入センサにはセキュリティ会社、火災センサならばセキュリティ会社や消防署など、またはガス機器の故障診断などを行い、故障時にはメーカの修理サービスセンターに通報するように構成すると、さらにユーザーの利便性が向上する。また管理センター１６は複数であっても構わない。
【００３３】
またエネルギー媒体はガス以外でもよく、エネルギー媒体の供給の異常を検知するセンサと前記エネルギーを使用する機器によって構成でき、異常検知に対応して機器の動作を停止させた後、エネルギー供給を遮断するように構成することで同様の効果がある。
【００３４】
また本実施例ではガス漏れ警報器２３、流量計測装置（ガスメータ）８、給湯機１、回線網アクセス手段１８などの機器と無線送受信手段２４、１２、２、１９を別体で構成しているが、機器側に内蔵してもよく、また無線でなく有線でも光通信でも構わない。また回線網１７を電話回線として説明したが、ＩＳＤＮ回線、ＰＨＳ回線、専用回線、ＣＡＴＶ、インターネットなどを利用して回線網アクセス手段１８と管理センター１６に接続するように構成することもできる。また直接給湯機リモコン３に接続する構成でもよい。また機器側に接続された無線通信手段の無線通信区間は給湯機リモコン３を介して通信を行うようにしているが、ガス漏れ警報器２３より流量計測装置（ガスメータ）８へ直接遮断制御信号を送信するように構成し、その後ガスメータ８へ遮断完了信号を給湯機リモコン３へ送信し、状態表示手段１５に表示しユーザーに知らせるように構成して
もよい。
【００３５】
【発明の効果】
以上の説明から明らかのように本発明の設備機器リモコンシステムによれば以下の効果を奏する。
【００３６】
（１）設備機器の運転中に、センサ機器の異常検知信号によりエネルギー供給遮断手段の遮断処理が行われた場合でも、急にエネルギー媒体の供給を停止することによって設備機器がエラー動作になることを防ぎ、リセット操作を不必要にし、設備機器の使い勝手を悪化させないようにする。よって設備機器がエラー状態に陥ることなく、設備機器リモコンシステムは確実に遮断処理を行うことができる。
【００３７】
（２）センサ機器がエネルギー供給状態の異常を検知し、エネルギー供給遮断手段の遮断制御を行う場合、設備機器リモコンは遮断に要する時間を演算予測し、前記状態表示手段に遮断時間をカウントダウン表示する。
【００３８】
（３）センサ機器からの信号で設備機器リモコンがエネルギー供給遮断手段の遮断を行っている時、設備機器などの制御操作を行うキー入力を制限することにより、前記処理に割り込みが入ることを防ぎ、遮断が確実に行われるようになる。
【図面の簡単な説明】
【図１】  本発明の実施例１の設備機器リモコンシステムの構成図
【図２】  従来の設備機器リモコンを利用したネットワークシステムの構成図
【符号の説明】
１  給湯機
３  給湯機リモコン
６  給湯機動作停止手段
７  給湯機運転判定手段
８  流量計測装置（ガスメータ）
１０  遮断弁
１４  弁遮断・復帰時間カウントダウン手段
１５  状態表示手段
１６  管理センター
１７  回線網
１８  回線網アクセス手段
２１  キー入力制限手段
２３  ガス漏れ警報器
【図１】
0003923196.tif 000002
【図２】
0003923196.tif 000003